(57)【特許請求の範囲】
【請求項１】
Ｉ相映像信号及びＱ相映像信号の複素ＦＦＴ演算でスペクトル成分を算出し、算出したスペクトル成分と予め設定された第１のしきい値とを比較し、該第１のしきい値を超えるスペクトル成分を混信波として検出する混信波検出手段と、
前記混信波検出手段による検出結果に基づいてフィルタ係数を算出するフィルタ係数算出手段と、
前記フィルタ係数に基づいてフィルタ特性を設定する適応フィルタにより、前記Ｑ相映像信号に含まれる前記混信波を通過させるとともに、該通過した前記混信波の位相を回転させて前記Ｉ相映像信号と比較して位相が１８０度異なる混信波除去用信号を出力し、遅延回路により、前記適応フィルタのフィルタリング及び前記位相の回転に要する遅延量を前記Ｉ相映像信号に与えて遅延Ｉ相映像信号を出力し、加算器により、前記混信波除去用信号と前記遅延Ｉ相映像信号とを加算して除去信号を出力する混信波除去手段と、
前記混信波除去手段から出力された除去信号がフィードバックされ、該フィードバックされた前記除去信号を前記複素ＦＦＴ演算でスペクトル成分を算出し、該スペクトル成分と予め設定された第２のしきい値とを比較し、該第２のしきい値を超えるスペクトル成分を消え残り混信波として検出する消え残り混信波算出手段と
を有し、
前記消え残り混信波算出手段により消え残り混信波が検出された場合、
前記混信波除去手段は、前記適応フィルタが、前記混信波検出手段及び前記消え残り混信波算出手段による検出結果に基づいて、前記フィルタ係数算出手段により再度算出されたフィルタ係数からフィルタ特性を再設定し、前記除去信号から消え残り混信波を除去することを特徴とする混信妨害波除去回路。
【請求項２】
請求項１に記載の混信妨害波除去回路において、
前記混信波除去手段で除去する混信波の数が所定値未満の場合に消え残り混信波が除去混信波と隣接しているか否かを判定し、隣接していない場合は、前記第１のしきい値を該第１のしきい値より小さい値に調節することを特徴とする混信妨害波除去回路。
【発明の詳細な説明】
【０００１】
【発明の属する技術分野】
定周期で混信波を適応フィルタにより抽出し、抽出した混信波を用いて、受信波に混入した混信波を除去し、混信波を含まない除去信号を出力する混信妨害波除去回路に関する。
【０００２】
【従来の技術】
従来、スポラディックＥ層などで反射したテレビ放送波に混入している混信波成分を受信信号から除去するには、以下の方法などが用いられていた。すなわち、残留側波帯振幅変調信号を直交同期検波して得られるＩ相信号（同相信号）とＱ相信号（直交信号）のうち、Ｑ相信号には映像の両側波帯信号成分が打ち消しあって存在しないことを利用し、残留側波帯振幅変調信号の両側波帯領域（以降、ＤＳＢ領域と記載する）に混入した混信波成分については、Ｑ相信号の中から適応フィルタによって混信波成分のみを抽出することが可能であり、さらに、ヒルベルト変換によって位相を＋９０度または−９０度だけ移相することによりＩ相信号に含まれる混信波成分に対して振幅が同一で位相が１８０度異なる成分を作成して、両者を加えることにより、打ち消し除去する方法（１）がある（例えば、特開平１０−２９４８８４号公報の段落０００７〜０００９参照のこと）。
【０００３】
また、残留側波帯振幅変調信号の片側波帯領域（以降、ＳＳＢ領域と記載する）に混入した混信成分を除去する際には、Ｑ相信号の中から適応フィルタによって一部の映像成分とともに混信成分を抽出し、さらに、ヒルベルト変換によって移相を＋９０度移相することにより、Ｉ相信号に含まれる一部の映像成分および混信波成分に対して振幅が同一で位相が１８０度異なる成分を作成して両者を加えることにより、打ち消し除去する方法（２）がある。これらの方法（１），（２）を組み合わせて混信波（妨害波）を除去するアルゴリズムを模式的に示しているのが図４である。（11）入力信号から（12）同相信号と（13）直交信号とが得られ、ヒルベルト変換によって得られた（14）変換出力を（12）同相信号に加えて、（15）混信波がキャンセルされた同相信号が得られる。この場合、ＤＳＢ領域については方法（１）が適用され、ＳＳＢ領域については方法（２）が適用されたと考えればよい。
【０００４】
上述の方法（１），（２）を実現する回路およびその動作について以下で詳しく説明する。方法（１）によると、Ｑ相信号のＤＳＢ領域には映像成分が含まれず、混信波成分のみが存在するため、適応フィルタによって逆相で同振幅の混信波成分を作成し、Ｉ相信号と加えることにより、混信波成分のみが打ち消し合い除去され、理論的には除去処理による映像成分の欠損は生じないという特徴がある。また、方法（２）によると、Ｑ相信号のＳＳＢ領域には映像成分が存在しているため、適応フィルタでは混信成分とともに一部の映像成分も抽出される。したがって、Ｉ相成分と加えられる際に前述の一部の映像成分も一緒に打ち消し合い除去される。このようにして失われる映像成分により、映像にゴーストのような歪み（以降、映像歪みと記載する）が生じるという問題がある。
【０００５】
図５は、上述のような混信妨害波除去回路の従来例を示すブロック図、図６は、図５の回路の動作を説明するためのタイムチャートである。図５の混信妨害波除去回路１０は、制御回路１１と、メモリ回路１２と、混信波検出回路１３と、フィルタ係数算出回路１４と、適応帯域フィルタ１５（以降、適応ＢＰＦ１５と記載する）と、遅延回路１６と、加算器１７とを有する。この混信妨害波除去回路１０は、受信信号を直交同期検波して復調されるＩ相およびＱ相映像信号と、受信信号から再生された水平および垂直同期信号とを入力し、混信波を除去して除去信号を出力する。これらのことについて、以下でさらに詳しく説明する。
【０００６】
上述した混信妨害波除去回路１０の各部の機能について説明する。制御回路１１は、水平および垂直同期信号を入力し、垂直帰線期間内の所定区間のＩ相およびＱ相映像信号をメモリ回路１２に書き込むためのイネーブル信号ＥＮを出力する。このイネーブル信号ＥＮは、例えば、図６の“ｂ”で示されるようなタイミングで出力され、このタイミングに合わせて図６の“ａ”で示されるようなＩ相およびＱ相映像信号がメモリ回路１２に記憶される（図６の“ａ”の信号とは、例えば、垂直帰線期間内の１１番目の水平同期信号で、映像成分や同期成分が含まれない直流信号である）。
【０００７】
メモリ回路１２は、イネーブル信号ＥＮに従って、Ｉ相およびＱ相映像信号を記憶する。例えば、上述の部分（図６の“ａ”）において、Ｉ相およびＱ相映像信号それぞれの５１２点のデータがメモリ回路１２に記憶される。混信波検出回路１３は、メモリ回路１２に記憶されたＩ相およびＱ相映像信号のデータを図６の“ｃ”のタイミングで読み出し、混信波の検出処理を行う。この混信波の検出処理においては、Ｉ相およびＱ相映像信号に対して複素ＦＦＴ演算を実行してスペクトル成分を算出する。
【０００８】
混信波検出回路１３は、上述のように算出したスペクトル成分と、予め設定されたしきい値とを比較し、しきい値を超える電力レベルが得られるスペクトル成分を混信波として検出し、その結果をフィルタ係数算出回路１４に出力する。上述の場合において、ＦＦＴを複素数で演算するのは、残留側波帯変調の下側帯波（搬送波よりも低い周波数部分）の混信波を検出するためである。フィルタ係数算出回路１４は、混信波検出回路１３から検出結果を受け取り、その検出結果に対応したフィルタ係数を算出して適応ＢＰＦ１５に引き渡す。
【０００９】
この場合、フィルタ係数算出回路１４は、検出結果を入力し、検出結果が混信波の検出を示している場合には、検出結果に基づいてフィルタ係数を図６の“ｄ”で示されるようなタイミングで算出する。このフィルタ係数は、検出結果が混信波の検出を示している場合には、適応ＢＰＦ１５が混信波を通過させ、かつ、通過させる際に混信波の位相を−９０度回転させるようなフィルタ係数であり、検出結果が混信波の検出を示していない場合には、フィルタ係数は全て“０”となる。
【００１０】
適応ＢＰＦ１５は、Ｑ相映像信号を入力するとともに、フィルタ係数算出回路１４から与えられたフィルタ係数に基づき、自己のフィルタ係数を設定し、そのことにより、Ｑ相映像信号に含まれ、混信波検出回路１３によって検出されたＱ相混信波を通過させ、かつ、その位相を−９０度回転させ、混信波除去用信号ＰＶとして出力する。Ｑ相映像信号は、元来、Ｉ相映像信号に対して位相が９０度遅れているので、適応ＢＰＦ１５による更なる移相によって、混信波除去用信号ＰＶは、Ｉ相映像信号に対して逆相になる。ただし、混信波検出回路１３が混信波の検出を示していない場合には、フィルタ係数算出回路１４がフィルタ係数を全て“０”とするので、適応ＢＰＦ１５の出力も“０”となる。
【００１１】
なお、フィルタ係数算出回路１４から適応フィルタへのフィルタ係数の書き出しは、図６の“ｅ”で示されるように、次の垂直帰線期間内に行う。このようなタイミング“ｅ”で行う理由は、フィルタ係数を書き換えている途中では、意図しないフィルタ特性が一時的に形成され、フィルタ出力が乱れる可能性があるためであって、書き換えは、垂直帰線期間のように表示画面に表示されない期間とすべきだからである。遅延回路１６は、Ｉ相映像信号を入力するとともに、そのＩ相映像信号に、適応ＢＰＦ１５が信号処理に要する遅延量と同一の遅延量を与え、遅延Ｉ相映像信号ＤＩとして出力する。
【００１２】
加算器１７は、混信波除去用信号ＰＶと遅延Ｉ相映像信号ＤＩとを加算し、混信を除去したＩ相映像信号である除去信号ＰＰとして出力する。ただし、混信波検出回路１３が混信波を検出していない場合には、フィルタ係数算出回路１４がフィルタ係数を全て“０”とし、適応ＢＰＦ１５の出力が“０”となるので、加算器１７への入力は、遅延回路１６の出力のみとなり、遅延回路１６の出力がそのまま加算器１７の出力となる。他方、混信波検出回路１３が混信波を検出している場合には、Ｉ相映像信号は、遅延回路１６によって適応ＢＰＦ１５と同一遅延が与えられるので、加算器１７による加算において、混信波を含む映像信号と、逆相混信波とが加算され、混信波と逆相混信波とが打ち消し合い除去され、混信波の除去されたＩ相映像信号が除去信号として出力される。
【００１３】
【発明が解決しようとする課題】
上述した従来の混信妨害波除去回路には、以下のような問題がある。すなわち、上述した混信妨害波除去回路は、ＳＳＢ領域の混信波を除去する際に、映像成分が欠落する問題に対応するために、作成するフィルタ帯域幅をなるべく狭帯域にし、欠落する映像成分を低減している。また、図６の“ａ”で示される映像信号に基づいて作成されるフィルタ係数は、タイミング“ｅ”以降で使用されるために、この使用までに１フィールド（１６．６８ｍｓｅｃ）の遅延がある。他方、混信波の変動周期は、１ｍｓｅｃ〜数１００ｍｓｅｃ程度であり、上述の１フィールドよりも短い時間で変動する場合がある。したがって、１フィールドの遅延時間内に混信波の特性が変化する可能性があり、混信波の除去が最適に実行されない可能性がある。予め作成するフィルタ特性の帯域幅を一様に広げる考え方もあるが、映像成分の欠落低減には逆行するので好ましくない。
【００１４】
本発明は、上記の問題を解決するためになされたものであって、フィルタ特性の帯域幅を一様に広くせずに、混信波が１フィールドよりも短い時間で変動する場合でも混信波を除去でき、ひいては、より高品質な混信波除去映像を提供することができる混信妨害波除去回路を提供することを目的とする。
【００１５】
【課題を解決するための手段】
前述した課題を解決するために、本発明は、混信波が混入した受信波から一定周期で混信波を適応フィルタにより抽出し、抽出した混信波を用いて、受信波に混入した混信波を除去し、混信波を含まない除去信号を出力する混信妨害波除去回路において、前記混信波を抽出する際に、前記混信波除去から漏れて除去信号に含まれている混信波をも合わせて抽出し、前記適応フィルタのフィルタリング特性を再設定する混信波除去制御手段を有する。
【００１６】
このような構成によれば、混信波除去から漏れて、混信波が除去信号に残留していたとしても、混信波除去制御手段がこの混信波を検出させ、その検出結果に基づいて、適応フィルタのフィルタリング特性を再設定させるので、除去信号に混入していた混信波も自動的に除去されることになる。
【００１７】
そして、本発明の実施の形態において、混信妨害波除去回路２０は、混信波除去制御手段として、従来よりも機能を増強した制御回路２１と、セレクタ２２と、メモリ回路２３と、混信波検出回路２４とを有し、混信波が混入した受信波のＩ相およびＱ相映像信号から一定周期で混信波を適応フィルタ２６により抽出し、抽出した混信波を用いて、受信波に混入した混信波を除去し、混信波を含まない除去信号ＰＰを出力する。その場合、制御回路２１の制御の下、除去信号ＰＰを映像信号とともにセレクタ２２を介してメモリ回路２３に書き込み、混信波検出回路２４が混信波を検出する際に、書き込んだ映像信号および除去信号から混信波を合わせ検出し、検出結果からフィルタ係数算出回路２５が算出したフィルタ係数に基づき、適応フィルタ２６のフィルタリング特性を再設定する。
【００１８】
また、本発明は、混信波が混入した受信波から一定周期で混信波を検出する混信波検出手段と、検出した混信波からフィルタ係数を算出するフィルタ係数算出手段と、算出されたフィルタ係数に基づいてフィルタリング特性を設定し、受信波から混信波を抽出する適応フィルタと、適応フィルタが抽出した混信波を用いて、受信波に混入した混信波を除去し、混信波を含まない除去信号を出力する混信妨害波除去回路において、前記混信波検出手段が混信波を検出する際に、前記混信波除去から漏れて除去信号に含まれている混信波をも合わせて検出させ、その検出結果に基づいて、フィルタ係数算出手段と適応フィルタとが協働してフィルタリング特性を再設定するようにさせる混信波除去制御手段を有する。
【００１９】
【発明の実施の形態】
以下、本発明の実施の形態について添付図面に基づいて説明する。図１は、本発明に係る混信妨害波除去回路の実施の形態を示すブロック図、図２は、映像信号および除去信号を図１のメモリ回路に記憶するタイミングを示すタイミングチャート、図３は、図１で示される混信妨害波除去回路における混信波の除去処理の流れを説明するためのフローチャートである。図１の混信妨害波除去回路２０は、受信信号を直交同期検波して復調したベースバンドのＩ相およびＱ相映像信号と、受信信号から再生した水平および垂直同期信号とを入力し、映像信号から混信波を検出し、検出した混信波を映像信号から除去した除去信号を出力するが、この混信波の検出のために、除去信号をフィードバックして参照するように構成している。以下に、これらの機能の詳細について説明する。
【００２０】
図１の混信妨害波除去回路２０は、制御回路２１と、セレクタ２２と、メモリ回路２３と、混信波検出回路２４と、フィルタ係数算出回路２５と、適応ＢＰＦ２６と、遅延回路２７と、加算器２８とから構成されている（なお、これらのうち、フィルタ係数算出回路２５と、適応ＢＰＦ２６と、遅延回路２７と、加算器２８とは図５の従来例のものと実質的に同じであってよい）。制御回路２１は、水平および垂直同期信号を入力し、垂直帰線期間の所定区間の信号をメモリ回路２３に書き込ませるイネーブル信号ＥＮと、メモリ回路２３に書き込ませる信号を切り換えるためのセレクト信号ＳＬとを出力する。
【００２１】
セレクタ２２は、Ｉ相映像信号と、混信波の除去が行われた映像信号である除去信号ＰＰとを入力し、制御回路２１からのセレクト信号ＳＬに基づき（図２参照）、どちらかを切り替え出力する。メモリ回路２３は、イネーブル信号ＥＮに基づき、Ｉ相映像信号と、Ｑ相映像信号と、混信波の除去が行われた後の除去信号ＰＰとを記憶する。混信波検出回路２４は、メモリ回路２３からＩ相およびＱ相映像信号を読み出し、複素ＦＦＴ演算を実行してスペクトル成分を算出し、そのスペクトル成分と、予め設定された第１のしきい値とを比較し、第１のしきい値をこえる電力レベルが得られるスペクトル成分を混信波として検出する。
【００２２】
ここで、混信波が検出された場合には、メモリ回路２３から除去信号ＰＰを読み出し、ＦＦＴ演算を実行してスペクトル成分を算出し、スペクトル成分と、予め設定した第２のしきい値とを比較し、第２のしきい値を超える電力レベルが得られるスペクトル成分を消え残り混信波として検出する。そこで、消え残り混信波と、１フィールド前の除去すべき混信波の除去混信波情報とを参照し、第１のしきい値やフィルタ帯域幅を変更する。フィルタ係数算出回路２５は、混信波検出回路２４の検出結果を入力し、フィルタ係数を算出し、適応ＢＰＦ２６に与える。この場合に算出されるフィルタ係数は、検出された混信波を適応ＢＰＦ２６が通過させ、かつ、通過させる混信波の位相を−９０度回転させるフィルタ係数である。
【００２３】
適応ＢＰＦ２６は、Ｑ相映像信号を入力するとともに、フィルタ係数算出回路２５から与えられたフィルタ係数によってフィルタ特性を設定し、その特性によって、入力したＱ相映像信号をフィルタリングする。遅延回路２７は、Ｉ相映像信号を入力するとともに、そのＩ相映像信号に、適応ＢＰＦ２６が信号処理するのに要する遅延量と同一の遅延量を与え、遅延Ｉ相映像信号ＤＩとして出力する。加算器２８は、混信波除去用信号ＰＶと遅延Ｉ相映像信号ＤＩとを加算し、混信波を除去したＩ相映像信号である除去信号ＰＰを出力する。ただし、混信波検出回路２４が混信波を検出していない場合には、フィルタ係数算出回路２５がフィルタ係数を全て“０”とし、適応ＢＰＦ２６の出力が“０”となるので、加算器２８への入力は、遅延回路２７の出力のみとなり、遅延回路２７の出力がそのまま加算器２８の出力となる。
【００２４】
上述の説明のうち、制御回路２１と、セレクタ２２と、メモリ回路２３の動作について図２を参照してさらに詳しく説明する。図２は、映像信号をメモリ回路に記憶するタイミングを示すタイミングチャートである。図２において、Ｉ相映像信号と除去信号ＰＰとは、それぞれセレクタ２２の入力端での信号ストリームであり、Ｑ相映像信号は、メモリ回路２３の入力端での信号ストリームである。図２において、１１Ｈおよび１２Ｈと記載されているのは、ＮＴＳＣ信号の垂直帰線期間のそれぞれ１１番目および１２番目の水平同期信号部分である。
【００２５】
さらに、図２において、“ａ”は、Ｉ相およびＱ相映像信号の１１Ｈの中央部分３５．８μｓｅｃの信号を示しており、“ｂ”は、除去信号の１１Ｈの中央部分３５．８μｓｅｃの信号を示している。この部分がメモリ回路２３に記憶されるデータである。また、除去信号が水平同期信号周期の約１／２程度遅延しているのは、除去信号が適応ＢＰＦ２６と加算器２８との処理時間の合計だけ遅れているからである（セレクタ２２の遅延は“０”）。
【００２６】
すなわち、適応ＢＰＦ２６が５１２タップのＦＩＲフィルタ、処理クロック周波数が４倍のカラー搬送波周波数（＝１４．３１８ＭＨｚ）とすると、フィルタの遅延量＝５１２タップ×（１／１４．３１８ＭＨｚ）＝３５．８μｓｅｃとなり、加算器の遅延量は、サンプリングクロックで１０発分程度であるから、加算器の遅延量＝１０×（１／１４．３１８ＭＨｚ）＝０．７μｓｅｃである。したがって、合計の遅延量は、３５．８＋０．７＝３６．５μｓｅｃとなる。また、上述の“ａ”は、現時点での映像信号（混信波除去前）であるのに対して、“ｂ”は、１フィールド前の映像信号をもとに算出したフィルタ係数を用いて、現時点での映像信号に対して除去処理をした除去信号ＰＰである。
【００２７】
制御回路２１は、別途に再生された水平および垂直同期信号を用いて、セレクト信号ＳＬとイネーブル信号ＥＮとを生成する。セレクト信号ＳＬは、Ｉ相映像信号と除去信号ＰＰ（加算器２８からフィードバックされる）とを切り換え選択してメモリ回路２３に引き渡すための制御信号であり、その切り替えタイミングは、図２のセレクト信号ＳＬのタイミングで行われる。すなわち、図２で示される例においては、セレクト信号ＳＬがロウレベル（Ｌレベル）のときはＩ相信号を、ハイレベル（Ｈレベル）のときは除去信号ＰＰをそれぞれ選択している。
【００２８】
イネーブル信号ＥＮは、メモリ回路２３への書き込み動作を許可するための信号であり、その場合の切り替えタイミングは、図２のイネーブル信号ＥＮのタイミングで行われる。すなわち、図２で示される例においては、イネーブル信号ＥＮがロウレベル（Ｌレベル）のときは書き込み禁止を、ハイレベル（Ｈレベル）のときは書き込み許可をそれぞれ示している。したがって、セレクタ２２は、イネーブル信号ＥＮがＨレベルの期間に、セレクト信号ＳＬの状態に従って、Ｉ相映像信号または除去信号を切り換え選択して出力する。
【００２９】
図２の例の場合、除去信号ＰＰの１１Ｈの“ｂ”部分が入力されている期間のみ、セレクト信号がＨレベルであり、この期間のみ除去信号ＰＰが選択される。その他の期間は、セレクタ信号がＬレベルであり、Ｉ相映像信号が選択される。メモリ回路２３はイネーブル信号ＥＮに従って、入力される信号を記憶する。図２の例の場合、イネーブル信号ＥＮがＨレベルである“ａ”，“ｂ”の入力期間においてのみ記憶される。ただし、“ａ”の入力期間に記憶されるのは、Ｉ相およびＱ相の複素信号であり、“ｂ”の入力期間に記憶されるのは、除去信号ＰＰ（実信号）である。したがって、除去信号の記憶に必要なメモリ容量は、Ｉ相およびＱ相映像信号の半分でよい。
【００３０】
次に、図１で示された混信波検出回路２４の動作の詳細について説明する。先ず、２つの処理の内容について説明する。一つは、“混信波検出処理”であり、他の一つは、“消え残り混信波算出処理”である。“混信波検出処理”は、メモリ回路２３からＩ相およびＱ相映像信号を読み込み、Ｉ相およびＱ相映像信号の複素ＦＦＴ演算を実行してスペクトル成分を算出し、算出したスペクトル成分と、予め設定した第１のしきい値とを比較し、第１のしきい値を超えるスペクトル成分を混信波として検出する。
【００３１】
“消え残り混信波算出処理”は、混信波除去処理後に出力される除去信号に存在する混信波を除去する処理のことである。消え残り混信波を厳密に言うと、混信波に対する除去が完全には行われずに消え残った場合と、１フィールド周期の間に新しく発生した場合とがあるが、ここでは、その処理を単に“消え残り混信波算出処理”という。消え残り混信波算出処理は、メモリ回路２３から除去信号を読み込み、ＦＦＴ演算してスペクトル成分を算出し、そのスペクトル成分と、予め設定された第２のしきい値とを比較し、第２のしきい値を超える電力を有するスペクトル成分を消え残り混信波として検出する。  第２のしきい値は、混信波除去後の映像をモニタ画面で観測したときに、消え残り混信波の存在がわかる程度、もしくは、気になる程度の電力レベルなどに設定し、第１のしきい値と同一か、少し大きな値（鈍感方向）とする。
【００３２】
次に、図３を参照して、混信波の除去処理の流れについて説明する。先ず、Ｉ相およびＱ相映像信号を入力し（ステップＳ６０）、上述の“混信波検出処理”を行う（Ｓ６１）。第１のしきい値、フィルタ帯域幅、変更部分でｋ回連続して混信波を検出しない場合には初期値に戻す（Ｓ６２）。そして、混信波が検出されたか否かを判定する（Ｓ６３）。ステップＳ６３の判定の結果、混信波を検出していない場合には、ステップＳ６１２に移行するが、混信波を検出している場合には、除去信号の読み込みと、上述の“消え残り混信波算出処理”とを行う（Ｓ６４）。
【００３３】
上述の除去混信波情報とは、混信波検出処理で検出された混信波の周波数、電力レベル、混信波を検出する際に用いた第１のしきい値、混信波を抽出するためのフィルタ帯域幅の情報であり、混信波の検出結果をフィルタ係数算出回路２５へ出力する直前に更新する。ステップＳ６４の後、消え残り混信波があるか否かを判定する（Ｓ６５）。ステップＳ６５の判定の結果、混信波を検出していない場合には、ステップＳ６１２に移行するが、消え残り混信波がある場合には、除去混信波情報を読み込む（Ｓ６６）。
【００３４】
読み込んだ除去混信波情報と、消え残り混信波とを比較し、消え残り混信波が除去混信波情報に含まれているか否かを判定する（Ｓ６７）。除去混信波情報には、１フィールドの処理において、除去する混信波とされた混信波の情報が保持されているので、両者を比較することによって、その消え残り混信波は、（イ）除去が完全には行われず消え残った混信波（消え残り混信波が除去混信波情報に含まれている）であるか、あるいは、（ロ）１フィールド周期の間に新たに発生した混信波（消え残り混信波が除去混信波情報に含まれていない）であるかを判定する（Ｓ６７）。
【００３５】
上述の判定の結果、（イ）の場合、混信波を除去しようと試みたが、除去できず、消え残り波として検出されたことを意味し、回路の誤動作、同期外れなどの可能性がある。そこで、フィルタ係数の更新を停止するか、場合によっては、０クリアして、保護処理へ移行する。Ｓ６７の判定の結果、（ロ）の場合、第１のしきい値より小さな混信波が１フィールド周期の期間に電力レベルが増大して第２のしきい値を超えたことを意味している。ここで、第１のしきい値＜＜第２のしきい値（即ち、第２のしきい値の方が鈍感）としている場合、混信波の変動が回路の追従速度よりも早い状態と判断できる。
【００３６】
そこで、第１のしきい値を小さい値に調節し、混信波の電力レベルが低い状態でも検出できるようにする必要があると考えられるが、以下に述べる理由から、混信波除去数が一定値ｎ以上であるか否かを判定する（Ｓ６８）。判定の結果、ＳＳＢ領域で除去する混信波の数が一定値ｎ以上である場合、第１のしきい値を小さくすると、ＳＳＢ領域の混信波を除去することによる映像成分の欠損量が増大し過ぎて映像品質が低下する可能性があるので、第１のしきい値は変更せずに現状を維持し、ステップＳ６１２に移行する。
【００３７】
ステップＳ６８の判定の結果、除去する混信波の数が一定値ｎ未満の場合、消え残り混信波が除去混信波と隣接しているか否かを判定する（Ｓ６９）。
ステップＳ６９の判定の結果、隣接している場合、混信波が変動してフィルタ帯域幅よりも広くなり、サイドローブが帯域外に漏洩している可能性がある。この場合、当該混信波を除去するために、フィルタの帯域幅を広げる情報を付加してステップＳ６１２に移行する。ステップＳ６９の判定の結果、隣接していない場合、追従速度が遅いと見なして、第１のしきい値の当該混信波部分を敏感方向にシフトし、すなわち、第１のしきい値を小さい値に調節し、混信波の電力レベルが低い状態でも検出できるようにする情報を付加してステップＳ６１２に移行する。ステップＳ６１２においては、除去混信波情報を更新する。その後、混信波検出回路２４は、検出結果をフィルタ係数算出回路２５に出力し（Ｓ６１３）、処理は終了か否かを判定し（Ｓ６１４）、終了で無ければ、再び、ステップＳ６０に戻り、処理を繰り返す。
【００３８】
【発明の効果】
本発明の混信妨害波除去回路は、以上において説明したように構成されているので、混信波除去から漏れて、混信波が除去信号に残留していたとしても、混信波除去制御手段がこの混信波を検出させ、その検出結果に基づいて、適応フィルタのフィルタリング特性を再設定させるので、除去信号に混入していた混信波も自動的に除去される。したがって、除去信号に混信波がどの程度消え残っているかを把握し、最適な混信波の検出方法に切り換えながら混信波除去性能を向上させることができるという効果がある。
【図面の簡単な説明】
【図１】本発明に係る混信妨害波除去回路の実施の形態を示すブロック図である。
【図２】映像信号および除去信号を図１のメモリ回路に記憶するタイミングを示すタイミングチャートである。
【図３】図１で示される混信妨害波除去回路における混信波の除去処理の流れを説明するためのフローチャートである。
【図４】従来の混信妨害波の除去アルゴリズムを模式的に示した図である。
【図５】混信妨害波除去回路の従来例を示すブロック図である。
【図６】図５の回路の動作を説明するためのタイムチャートである。
【符号の説明】
２１  制御回路、２２  セレクタ、２３  メモリ回路、２４  混信波検出回路、２５  フィルタ係数算出回路、２６  適応ＢＰＦ、２７  遅延回路、２８  加算器、ＥＮ  イネーブル信号、ＳＬ  セレクト信号、ＰＶ  混信波除去用信号、ＤＩ  遅延Ｉ相映像信号、ＰＰ  除去信号。
【図１】
0004660005.tif 000002
【図２】
0004660005.tif 000003
【図３】
0004660005.tif 000004
【図４】
0004660005.tif 000005
【図５】
0004660005.tif 000006
【図６】
0004660005.tif 000007